(57)【要約】【課題】  スタンパをインクパッドに押し当てた際にスタンプ台を落としてしまうことがなく、しかもスタンプ台を握る必要のないスタンプ台を提供する。【解決手段】  インクパッド４２を有するインクパッドユニット４０を着脱自在にスタンプ台本体１１に設けたスタンプ台１０であって、スタンプ台本体１１に穴１３Ａ,１３Ｂを設け、この穴１３Ａ,１３Ｂにバンド１２を通してスタンプ台１０を手等に固定できるようにした。【選択図】  図３
2007007879.tif 000002
【特許請求の範囲】
【請求項１】
インクパッドと、このインクパッドを設けたスタンプ台本体とを備えたスタンプ台であって、
前記スタンプ台本体を手等に固定するためのバンドを取り付けたことを特徴とするスタンプ台。
【請求項２】
前記インクパッドと、このインクパッドを取り付けたケースとから構成されるインクパッドユニットを前記スタンプ台本体に着脱自在に取り付け、
前記バンドの一部を前記ケースとスタンプ台本体との間に配設して取り付けたことを特徴とする請求項１に記載のスタンプ台。
【請求項３】
前記バンドを取り外し可能に取り付けたことを特徴とする請求項１または請求項２に記載のスタンプ台。
【請求項４】
前記バンドの長手方向が前記スタンプ台本体の一端に回動自在に取り付けた蓋体の回動軸に対して直交する方向と、同軸方向とのどちらかを向くように選択的に前記バンドが取り付けられていることを特徴とする請求項３に記載のスタンプ台。
【発明の詳細な説明】
【技術分野】
【０００１】
この発明は、インクパッドと、このインクパッドを設けたスタンプ台本体とを備えたスタンプ台に関する。
【背景技術】
【０００２】
従来から、スタンプ台本体の一端に回動自在に蓋体を設けたスタンプ台が知られている（特許文献１参照）。
【０００３】
かかるスタンプ台は、スタンプ台本体にインクパッドを設けており、使用するときには、蓋体を開けてスタンプ台本体のインクパッドにスタンパを押し当てて、インクパッドのインクをスタンパに付着させ、この後そのスタンパで所定の用紙などに捺印するものである。
【特許文献１】特開２００１−８８４１６号公報
【発明の開示】
【発明が解決しようとする課題】
【０００４】
しかしながら、このようなスタンプ台では、例えば積まれた段ボールなどに捺印するとき、蓋体を開けたスタンプ台を手に持ってスタンパをインクパッドに押し当てて、そのスタンパにインクパッドのインクを付着させてから捺印を行うが、そのスタンパをインクパッドに押し当てた際に、スタンプ台を落としてしまったりする。また、そのスタンプ台が落ちないように握ると、その握った手の指先がインクパッドに触れてしまうことが多々あり、その指先にインクが付着して他の部分にそのインクを転写させてしまう等の多くの問題があった。
【０００５】
この発明の目的は、スタンパをインクパッドに押し当てた際にスタンプ台を落としてしまうことがなく、しかもスタンプ台を握る必要のないスタンプ台を提供することにある。
【課題を解決するための手段】
【０００６】
上記目的を達成するため、請求項１の発明は、インクパッドと、このインクパッドを設けたスタンプ台本体とを備えたスタンプ台であって、
前記スタンプ台本体を手等に固定するためのバンドを取り付けたことを特徴とする。
【０００７】
請求項２の発明は、前記インクパッドと、このインクパッドを取り付けたケースとから構成されるインクパッドユニットを前記スタンプ台本体に着脱自在に取り付け、
前記バンドの一部を前記ケースとスタンプ台本体との間に配設して取り付けたことを特徴とする。
【０００８】
請求項３の発明は、前記バンドを取り外し可能に取り付けたことを特徴とする。
【０００９】
請求項４の発明は、前記バンドの長手方向が前記スタンプ台本体の一端に回動自在に取り付けた蓋体の回動軸に対して直交する方向と、同軸方向とのどちらかを向くように選択的に前記バンドが取り付けられていることを特徴とする。
【発明の効果】
【００１０】
この発明によれば、スタンプ台本体を手等に固定するためのバンドを取り付けたものであるから、スタンパをインクパッドに押し当てた際にスタンプ台を落としてしまうことがなく、しかもスタンプ台を握る必要がない。
【発明を実施するための最良の形態】
【００１１】
以下、この発明に係わるスタンプ台の実施の形態である実施例を図面に基づいて説明する。
【実施例】
【００１２】
図１ないし図５に示すスタンプ台１０は、スタンプ台本体１１と、このスタンプ台本体１１に取り付けたバンド１２と、スタンプ台本体１１の一端に回動自在に取り付けられた蓋体２０と、スタンプ台本体１１に着脱自在に装着されるインクパッドユニット４０等とから構成されている。
【００１３】
スタンプ台本体１１は、図６に示すように、平面視がほぼ長方形を呈した底壁部１３と、この底壁部１３の周囲に湾曲しながら一体形成されて立ち上がった前後壁部１４Ａ,１４Ｂおよび側壁部１４Ｃ,１４Ｄとを有し、図２に示すようにスタンプ台本体１１の上面が開口している。前壁部１４Ａの中央部には切欠１４Ａａが形成され、側壁部１４Ｃ,１４Ｄには凹部１４Ｃａ,１４Ｄａが形成されている。
【００１４】
また、底壁部１３の端には４つのスリット状の穴１３Ａ〜１３Ｄが形成され、穴１３Ａ,１３Ｂが後述する軸Ｊに平行となっており、穴１３Ｃ,１３Ｄが軸Ｊと直交する方向に延びている。そして、穴１３Ｃ,１３Ｄにバンド１２が通されて、図５に示すようにバンド１２の一部がスタンプ台本体１１の底壁部１３の上面に配設された状態となっている。なお、図２および図３ではバンド１２を穴１３Ａ,１３Ｂに通した例を示す。
【００１５】
バンド１２の一端部１２Ａの外面１２Ａａ（図１において）には面ファスナＭ１が取り付けられており、その他端部１２Ｂの内面１２Ｂａには面ファスナーＭ２が取り付けられている。そして、バンド１２の両端部１２Ａ,１２Ｂが図５（図３参照）に示すように切離可能に接合できるようになっている。
【００１６】
また、スタンプ台本体１１の底壁部１３の前側上面には、図６に示すように、起立した一対の起立壁部１５が上下に形成され、この起立壁部１５には係合穴１５Ａが形成されている。また、後壁部１４Ｂには上下（図６において）に一対の係合凹部１４Ｂａが形成されている。
【００１７】
図１に示すように、底壁部１３の左右の両端部の下面から両側壁部１４Ｃ,１４Ｄおよび前壁部１４Ａの外面に亘ってゴム製の緩衝部材１１７が取り付けられている。
【００１８】
底壁部１３の前壁部１４Ａの切欠１４Ａａの中央部分には、フック１７が軸部１７Ｊを中心にして回動可能に取り付けられている。このフック１７は、図示しないスプリングにより時計回（図２および図３において）りに付勢されており、図２および図３の位置より時計回りに回動しないように図示しない規制部材により規制されている。また、フック１７の先端部１７ａが係止部となっている。
【００１９】
スタンプ台本体１１の一端（後部）である後壁部１４Ｂには、図１に示すように後壁部１４Ｂに沿って軸受部１６が形成され、この軸受部１６には軸Ｊが貫通され、この軸Ｊに蓋体２０の後部が回動自在に装着されている。そして、蓋体２０が軸Ｊ回りに回動することによりスタンプ台本体１１の上面開口を開閉するようになっている。
【００２０】
蓋体２０は、ほぼ方形状の天板部２０Ｔを有しており、この天板部２０Ｔの裏面には、平面視がほぼ四角形状の環状リブ２１が形成され、この環状リブ２１の凹部２１Ａにシール部材２２（図２において省略）が取り付けられている。また、蓋体２０の先端部には、スタンプ台本体１１のフック１７に対応した位置に凹部２０Ａが形成され、この凹部２０Ａの位置に図２に示すように突起２３が形成されており、突起２３には係止孔２３Ａが形成されている。
【００２１】
また、蓋体２０の後部にはスタンプ台本体１１の軸Ｊに回動自在に取り付けられた軸部２８が形成されている。蓋体２０の両側壁部２６Ａ,２６Ｂには凹部２６Ａａ,２６Ｂａが形成され、図１に示すように蓋体２０の天板部２０Ｔの両側２０Ｔａ,２０Ｔｂの外表面と側壁部２６Ａ,２６Ｂおよび前後壁部２６Ｃ,２６Ｄ（図６参照）とに亘ってゴム製の緩衝部材２４が取り付けられている。緩衝部材２４,１１７は、スタンプ台１０を誤って落下させた際の衝撃を吸収するためのものである他に、机の上に置いた際のスベリ止めや手に持った際のホールド（フィット）性を上げるものである。
【００２２】
インクパッドユニット４０は、図８ないし図１０に示すように、平面視がほぼ長方形を呈するとともに上面が開口されたケース４１と、このケース４１内に設けられたインクパッド４２とを有している。
【００２３】
ケース４１の底壁部４１Ａは、その中央部が一段高くなっており、インクパッド４２の中央部を上に押し上げるようになっている。また、底壁部４１Ａの下面の４角には、スタンプ台本体１１の底壁部１３の上面に当接する突起が４１ｔが形成されている。
【００２４】
ケース４１の前壁部４１Ｂには、前方へ突出した一対の突出片４４が形成され、各突出片４４の下面には、スタンプ台本体１１の起立壁部１５の係合穴１５Ａに係合する係止爪４５が形成されている。また、ケース４１の後壁部４１Ｃには、スタンプ台本体１１の後壁部１４Ｂの係合凹部１４Ｂａに係合する係止突起４６が形成されている。
【００２５】
ケース４１の両側壁部４１Ｄ,４１Ｅには、スタンプ台本体１１に蓋体２０を閉成した際に、スタンプ台本体１１の側壁部１４Ｃ,１４Ｄの凹部１４Ｃａ,１４Ｄａと、蓋体２０の側壁部２６Ａ,２６Ｂの凹部２６Ａａ,２６Ｂａとの間に入り込む色表示部４７が設けられている。この色表示部４７の色はインクパッド４２に染み込ませたインクの色と同一に着色されている。そして、色表示部４７の端面４７ａがスタンプ台本体１１に蓋体２０を閉めたときでも図１に示すように露出して、インクパッド４２のインクの色が分かるようになっている。
【００２６】
次に、上記のように構成されるスタンプ台１１の使用方法について説明する。
【００２７】
先ず、スタンプ台本体１１のバンド１２の取り付けは、図２に示すように、スタンプ台本体１１からインクパッドユニット４０を取り外す。
【００２８】
この取り外しは、図５に示すインクパッドユニット４０の突出片４４を上に持ち上げる。これにより、スタンプ台本体１１の起立壁部１５の係合穴１５Ａからケース４１の突出壁部４４の係止爪４５が外れ、インクパッドユニット４０をスタンプ台本体１１から簡単に取り外すことができる。
【００２９】
インクパッドユニット４０をスタンプ台本体１１から取り外したら、バンド１２の両端部１２Ａ,１２Ｂを例えば図２に示すようにスタンプ台本体１１の穴１３Ａ,１３Ｂに通す。
【００３０】
このバンド１２を穴１３Ａ,１３Ｂに通す際、インクパッドユニット４０をスタンプ台本体１１から取り外していることにより、スタンプ台本体１１の底壁部１３の上面が開放され、その穴１３Ａ,１３Ｂが露出するとともにその穴１３Ａ,１３Ｂの上方に空間ができ、このため、軍手をしたままバンド１２を穴１３Ａ,１３Ｂに通すことができる。このため、捺印の作業の途中であっても軍手を外さずにバンド１２を通す作業を行うことができ、作業効率を上げることができる。
【００３１】
バンド１２を穴１３Ａ,１３Ｂに通した後、インクパッドユニット４０をスタンプ台本体１１に装着させる。
【００３２】
この装着は、インクパッドユニット４０のケース４１の係止突起４６をスタンプ台本体１１の後壁部１４Ｂの係合凹部１４Ｂａに係合させて、インクパッドユニット４０の前側を下方に押し込む。この押し込みにより、スタンプ台本体１１の起立壁部１５の係合穴１５Ａにケース４１の突出壁部４４の係止爪４５が係合して、インクパッドユニット４０のケース４１がスタンプ台本体１１に取り付けられることになる。すなわち、インクパッドユニット４０がスタンプ台本体１１に取り付けられる。
【００３３】
ところで、インクパッドユニット４０のケース４１の底壁部４１Ａの突起４１ｔにより、ケース４１の底壁部４１Ａとスタンプ台本体１１の底壁部１３の上面との間に隙間（図３参照）が形成され、この隙間にバンド１２が入ることになり、インクパッドユニット４０がバンド１２に邪魔されることなくスタンプ台本体１１に取り付けることができ、インクパッドユニット４０がスタンプ台本体１１に対して不安定な状態で取り付けられてしまうことが防止される。
【００３４】
そして、図３および図１１に示すように蓋体２０を閉めれば、蓋体２０の環状リブ２１のシール部材２２がインクパッドユニット４０のケース４１の上端面４１Ｓ（図３および図４参照）に当接してケース４１内が密閉される。これにより、インクパッド４２のインクが乾燥してしまうことが防止される。
【００３５】
スタンプ台１０を手に持って使用する場合には、先ず最初に手のひらにスタンプ台本体１１を載せ、次にバンド１２によってスタンプ台本体１１を手のひらに固定する。そして、蓋体２０を開けて、図示しないスタンパをインクパッド４２に押し当てて、そのスタンパにインクパッド４２のインクを付着させる。そして、このスタンパで段ボール等に捺印を行う。
【００３６】
このように、バンド１２によってスタンプ台本体１１を手のひらに固定するので、スタンパをインクパッド４２に強く押し当てたりした際に、スタンプ台本体１１を強く握りしめなくても、スタンプ台本体１１を手から落としてしまうことが防止される。また、スタンプ台本体１１を握りしめる必要がないことにより、手の指先にインクパッド４２のインクを付着させてしまうこともない。
【００３７】
スタンプ台本体１１の向きを変えて手のひらに固定する場合には、上述のようにしてバンド１２をスタンプ台本体１１の穴１３Ｃ,１３Ｄ（図１参照）に予め通しておけばよい。
【００３８】
このように、バンド１２を取り付ける穴（１３Ａ,１３Ｂ）、（１３Ｃ,１３Ｄ）を選択してその選択した穴にバンド１２を通せば、スタンプ台本体１１を手のひらに対して９０度向きを変えることができるので、その使用勝手が良いものとなる。また、通常のスタンプ台１０として使用する場合に、バンド１２が邪魔であれば、そのバンド１２を外せばよい。
【図面の簡単な説明】
【００３９】
【図１】この発明に係るスタンプ台を示した斜視図である。
【図２】図１に示すスタンプ台の構成を示した分解断面図である。
【図３】図１に示すスタンプ台の構成を示した断面図である。
【図４】蓋体を開成したスタンプ台を示した平面図である。
【図５】図４のＡ−Ａ線に沿う断面図である。
【図６】インクパッドユニットを取り外したスタンプ台の蓋体を開成した平面図である。
【図７】図６のＢ−Ｂ線に沿う断面図である。
【図８】インクパッドユニットを示した平面図である。
【図９】インクパッドユニットの断面図である。
【図１０】インクパッドユニットの側面図である。
【図１１】バンドを他の穴に通したスタンプ台を示した斜視図である。
【符号の説明】
【００４０】
１０          スタンプ台
１１          スタンプ台本体
１２          バンド
１３Ａ        穴
１３Ｂ        穴
４０          インクパッドユニット
４２          インクパッド
【図１】
2007007879.tif 000003
【図２】
2007007879.tif 000004
【図３】
2007007879.tif 000005
【図４】
2007007879.tif 000006
【図５】
2007007879.tif 000007
【図６】
2007007879.tif 000008
【図７】
2007007879.tif 000009
【図８】
2007007879.tif 000010
【図９】
2007007879.tif 000011
【図１０】
2007007879.tif 000012
【図１１】
2007007879.tif 000013